(57)【特許請求の範囲】
【請求項１】
圧力センサ（２；Ｓ１、Ｓ２）と、センサから延びる少なくとも２つの電気伝導リード（３；Ｌ１，Ｌ２）と、伝導リードの各々に接続している少なくとも一つの電気伝導トレース（３；Ｔ１，Ｔ２）と、伝導トレースの各々に電気的に接続された少なくとも一つの信号転送ターミナル（４；ＣＴ１，ＣＴ２）と、を有する検出装置であって、
圧力センサ（２；Ｓ１、Ｓ２）、各々の伝導リード（３；Ｌ１，Ｌ２）、および、各々の伝導トレース（３；Ｔ１，Ｔ２）は、可撓性で非電気的に伝導性の基体と関係し、
信号転送ターミナル（４；ＣＴ１，ＣＴ２）の各々が取り付けられ、圧力センサ（２；Ｓ１、Ｓ２）が可撓性で、伸縮性のファブリックからつくられ、電気伝導リード（３；Ｌ１，Ｌ２）の各々および伝導トレース（３；Ｔ１，Ｔ２）の各々が、電気伝導ファブリックからつくられ、電気伝導ファブリックのトレースの各々が、圧力センサのファブリックとは異なる特徴を備えたファブリックからなることを特徴とする検出装置。
【請求項２】
非電気伝導性の基体が、着用できる衣服のフォームファクタにあることを特徴とする請求項１に記載の検出装置。
【請求項３】
非電気伝導性の基体が、靴下（１）のフォームファクタにあることを特徴とする請求項２に記載の検出装置。
【請求項４】
非電気伝導性の基体が、包帯または損傷ドレッシングのフォームファクタにあることを特徴とする請求項１に記載の検出装置。
【請求項５】
各々の伝導ファブリックのリード（３；Ｌ１，Ｌ２；Ｌ３，Ｌ４）が、圧力センサ（２；Ｓ１、Ｓ２）の延長として設けられることを特徴とする請求項１の検出装置。
【請求項６】
各々の伝導ファブリックのリード（Ｌ１，Ｌ２）が、圧力センサ（Ｓ１）の対向側から延びるように配置されることを特徴とする請求項１の検出装置。
【請求項７】
各々の伝導ファブリックのリード（Ｌ３，Ｌ４）が、圧力センサ（Ｓ２）の共通の側から延びるように配置されることを特徴とする請求項１の検出装置。
【請求項８】
圧力センサ（２；Ｓ１、Ｓ２）は、一般的に長方形であることを特徴とする請求項１の検出装置。
【請求項９】
圧力センサ（２；Ｓ１、Ｓ２）が、センサに及ぼされる圧力、力、および、剪断のうちの少なくとも１つを検出することができることを特徴とする請求項１の検出装置。
【請求項１０】
少なくとも圧力センサ（Ｓ）および各々の電気伝導リード（Ｌ１，Ｌ２）を囲んでいる実質的に液体不浸透性のバリア（３０）を更に有することを特徴とする請求項１に記載の検出装置。
【請求項１１】
検出装置の信号転送ターミナル（４；ＣＴ１，ＣＴ２，ＣＴ３，ＣＴ４）と適合する信号受け取りターミナル（ＲＴ１，ＲＴ２，ＲＴ３，ＲＴ４）を有している専用の電子装置を更に有し、前記専用の電子装置が、ユーザの足首の周りに部分的に適合するように構成されたカーブするハウジングコンポーネント（４０）と、ハウジングコンポーネントの中で位置決めされる信号処理および通信コンポーネントとを有することを特徴とする請求項１の検出装置。
【請求項１２】
信号受け取りターミナル（ＲＴ１，ＲＴ２，ＲＴ３，ＲＴ４）を有する専用の電子装置を更に有し、
信号転送ターミナル（４；ＣＴ１，ＣＴ２，ＣＴ３，ＣＴ４）および信号受け取りターミナルが、着脱自在かつ磁気的に適合可能であることを特徴とする請求項１に記載の検出装置。
【請求項１３】
信号転送ターミナル（ＣＴ１，ＣＴ２，ＣＴ３，ＣＴ４）および信号受け取りターミナル（ＲＴ１，ＲＴ２，ＲＴ３，ＲＴ４）の磁気部品（２３，２８）の極性が、予め定められた方位において、信号転送ターミナルと信号受け取りターミナルとのマッチングを容易にするように構成されることを特徴とする請求項１２に記載の検出装置。
【請求項１４】
信号転送ターミナル（ＣＴ１，ＣＴ２，ＣＴ３，ＣＴ４）および信号受け取りターミナル（ＲＴ１，ＲＴ２，ＲＴ３，ＲＴ４）は、伝導性の磁気スナップスイッチとして作動し、専用の電子装置が、磁気接続の有無に基づいて自動的にデータ収集をオン／オフすることを特徴とする請求項１２に記載の検出装置。
【請求項１５】
信号転送ターミナル（ＣＴ１，ＣＴ２，ＣＴ３，ＣＴ４）と適合する信号受け取りターミナル（ＲＴ１，ＲＴ２，ＲＴ３，ＲＴ４）を有している専用の電子装置を更に有し、前記専用の電子装置が、専用の電子装置からデータを受信し、プログラムおよび/またはプログラム可能な命令およびルーチンに従ってデータ解析を実行するように構成されたリモートコンピューティング施設にデータを送信することができる信号処理および通信コンポーネントを有することを特徴とする請求項１の検出装置。
【発明の詳細な説明】
【技術分野】
【０００１】
現在の本発明は全般的にセンサに関する。そして、可撓性および伸ばすことのできるファブリック・ベースの圧力センサー（体表（直接または間接的に）に対して着用されることを目的とする衣類と関連できるかまたはそれに取り入れられることが可能である）を包含する。センサは、本体（直接または間接的に）に接触するシート状の材料、包帯および他のアクセサリと関連することもできるかまたは取り入れられることもできて、それぞれに位置決め可能なセンサー構成部品として提供されることもできる。データを記憶して、伝達して、処理して、分析して、表示することに関しシステムおよび方法は、体表で条件の遠隔モニタリングに関しセンサー構成部品によって、集まったか、または、本体の範囲内で、開示されもする。センサおよびセンサシステムは現在の本体条件に関する実質的にリアルタイム・フィードバックを提供して、ユーザ、管理人および／または臨床医に通知または警報を提供できる。そして、条件が介入が適切なことを示すときに、早めの介入を可能にする。
【背景技術】
【０００２】
さまざまなアプリケーションに関しさまざまな生理的パラメータをモニタすることに関し、様々な形の検知システムは靴、インソール、ソックスおよび衣類に取り入れられた。そして、娯楽用、スポーツ、軍、診断用および医療アプリケーションを包含した。医療用途は、状態を悪化させること、治癒の不足などを示すことができる検出されたパラメータに対して個人および／または医学サービスプロバイダに警戒させることを目的として神経障害および他の変形性条件をモニタすることのために圧力、温度などを検出することに関し提案された。神経障害を患っている患者に関し感覚のデータを提供することを対象とするはきもの関連の検知システムは、歩行分析、リハビリテーション評価、靴調査、設計および部品、矯正器具設計および部品などに関し提案された。
【０００３】
末梢性神経障害の潜在的原因は、糖尿病、アルコール中毒、尿毒症、エイズ、組織損傷および栄養的な欠乏症を含む。末梢性神経障害は糖尿病および損傷、潰瘍などは結果として最も普通の合併症の１つである。それは検知されなくなることができ、個人によって、感じられないようにすることができる。２０３０年までに世界的には５００，０００，０００人の糖尿病患者の予測される、２５，０００，０００人の糖尿病患者が、米国単独にいる。神経障害が認められる場合、糖尿病患者は、多くの場合、通常の日常活動中に歩いてから、その結果、中等度または高圧力と剪断力の分野での足の裏に潰瘍を生じる。糖尿病患者の約７０％はかなりの神経障害を有し、毎年、それらの患者の約５％は足潰瘍にかかり、約１％は切断を必要とする。足部潰瘍、糖尿病の他のどの合併症により入院する必要があり、年間の直接費用は少なくとも400億ドルになる。合併症のない足底潰瘍は6-8週間で癒されることができ、まだ現在の米国の臨床試験は12週で76％治療の失敗率を報告しているという強力な証拠がある。潰瘍化が発生するのを防止するために糖尿病患者をモニタする多くのアプローチは、あるいは、既存の潰瘍が直るのを容易にするために、提案された、それでも、潰瘍化またはその複雑化のほとんど改良は観察されなかった。オフロードすることは、潰瘍防止および治癒の重要な面がある。「糖尿病の足の管理および防止に関する実際的なガイドライン」では、
著者らは、機械的なオフロードが増加し、生体力学的ストレス潰瘍に対する治療の礎石であると結論した（参照：Ｄｉａｂｅｔｅｓ  Ｍｅｔａｂ  Ｒｅｓ  Ｒｅｖ  ２００８、２４（Ｓｕｐｐｌ  １）：Ｓ１８１―Ｓ１８７）。高リスク患者のためのカスタムメイドの履物のオフロード能力が効果的に向上し、圧力関連糖尿病性足潰瘍のリスクを減少させるはずである履物改質のためのガイダンスとして、靴の足底の圧力分析を使用して保存できることが実証されている（例えば、Diabet Med. 2012 Dec;29(12): 1542-9、参照）。
圧力および他の本体パラメータをモニタすることに関し組み込まれる検出装置およびはきものを有しているセンサが提案された。一つには低い患者コンプライアンスの結果、これらの装置は、潰瘍化を防止するかまたは損傷の治癒を加速することに全般的に成功しなかった。いくつかの圧力検知システムの存在にも関わらず、発生率、糖尿病性潰瘍と関連した辛抱する痛みおよび経費は、下落しなかった。例えばサイトからのデータの収集および分析に関し一態様、コンポーネントおよびアセンブリにおいて、体表が本願明細書において、記載した足および他は、潰瘍および他の損傷の発生率およびひどさを低減させて、ペースおよび損傷治癒の質を加速することのために本体位置で本体条件（例えば圧力）の断続的であるか連続モニタリングおよび報告を提供することに向けられる。例えばサイトから生理的および生体力学的データの収集および分析に関し本願明細書において、記載される他の態様、センサ、インタフェース、システムおよび材料において、足および他の部位が、スポーツ関連のものの種類、軍隊、適合性、診断および治療的な目的に関し使うことができる。
【発明の概要】
【課題を解決するための手段】
【０００４】
一つの態様では、現在の本発明のセンサシステムは、着用できる衣服のような基体材料、着用できるバンド、それぞれに位置決め可能なコンポーネント、または、可撓性および／または柔軟なシート材料のような他の基体に載置されるかまたはそれに関連して組み込まれる一つ以上のセンサを含む。一つの態様では、センサは、下にある皮膚または組織の生理学的パラメータを感知することが可能であり、またはセンサが上または下にある皮膚または組織に対して及ぼされる力または圧力を感知できる。基体に取り付けられるかまたはそれにおいて、または、それに関連した組み込まれる可撓性の伝導トレースに、各センサは、一つ以上の可撓性のリードを介して電気的に接続し、基体に載置されるかまたはそれにおいて、または、それに関連した組み込まれる伝導信号転送ターミナルで、伝導トレースは終わる。好ましくは本願明細書において、記載されるセンサシステムおよび検出装置は少なくとも一つの可撓性のセンサ（または検出することに関し手段）から成り、センサ、可撓性のリードおよび伝導トレースの一つ以上は可撓性だけでなく伸ばすことができ、および／または、弾力的でもよい。いくつかの実施形態では、センサ、可撓性のリードおよび伝導トレースの全ては、可撓性の柔軟な電気伝導繊維原料から成ることができる。かかるセンサシステムおよび検出装置を組み込んでいる衣類は多くの条件の下でユーザによって、気持ちよく着用されることができる。そして、ユーザに対する体表の、又はその近くの条件のリアルタイム・モニタリングを管理人および／または臨床医に提供する。
【０００５】
基体に取り付け可能で、（一時的であるか永続的な）データ収集装置として役立つＤｅｄｉｃａｔｅｄ  Ｅｌｅｃｔｒｏｎｉｃ  Ｄｅｖｉｃｅ（ＤＥＤ）と関連した信号受け取りターミナルにおいて、基体上の信号転送ターミナルは、交配的に受信されることができる。ＤＥＤは、電池または他のエネルギー記憶装置を収納することもできて、センサ充電装置として役立つこともできる（任意に）。ＤＥＤは、ユーザおよび／または他に信号転送、処理、分析および表示に関し個人コンピュータ／ディスプレイ、ホストコンピュータ等を一つ以上の外部電子装置（例えばスマートフォン）に知らせる。いくつかの実施形態では、付加的なデータを提供する外部でホストをつとめるコンピュータ・システム（例えば、集中化した、ホストをつとめる施設でおよび／または「クラウド」において、作用）で、分析が一つ以上のコンピューティングおよび／または表示装置によるフィードバック、通知、警報、などをユーザ、管理人および／または臨床医に表示することができ、外部電子装置またはＤＥＤは通信する。
【０００６】
いくつかの実施形態では、一つ以上のセンサは電圧の変化またはセンサに動作する力と関係している表面積全体の抵抗を検出し、圧力（ユニット表面積当たりの力として）および／または剪断に関連する。いくつかの実施形態では、ＦＳ（Ｆｏｒｃｅ  Ｓｅｎｓｉｔｉｖｅ  Ｒｅｓｉｓｔｏｒ）またはピエゾ抵抗センサを用いることができる。はきもの圧力検知アプリケーション、センサとして公知のＦＬＥＸＩＦＯＲＣＥ、登録商標で、以前に用いられた１種類のピエゾ抵抗力センサは様々な形状およびサイズおよび手段において、抵抗されることがありえ、それは印加力と逆に比例している。ポリエステルフィルム層の間に挟まれている感圧性の領域および導線については、これらのセンサは、ピンに、ここを終端として接続している銀の導線を有する感圧性インクを使用する。ＦＬＥＸＩＦＯＲＣＥ（登録商標）センサは、米国マサチューセッツ州02127-1309サウスボストン西ファースト・ストリート307のＴｅｋｓｃａｎ社から入手可能である。他のタイプのセンサは、温度、水分、湿度、応力、圧力、心拍数、呼吸レート、血圧、血液酸素飽和、血流、ローカル・ガス・コンテンツ、細菌コンテンツ、マルチ軸加速度、ポジショニング（ＧＰＳ）などに関するデータを提供しているセンサを含むさまざまな基体材料（例えば、衣類、シート材料など）において、集積されることもできるかまたはそれと関連することもできる。様々なかかるセンサは、従来技術において、周知で、本願明細書において、記載される検知システム用に構成されることができる。
【０００７】
いくつかの実施形態では、本発明の検知システムに取り入れられる圧力センサーおよび／または関連するリードおよび／または伝導トレースは、非シリコン系材料（例えば可撓性の伝導性の「ｅ織物」繊維原料）から成る。いくつかの実施形態では、本発明の検知システムに取り入れられるセンサおよび／または関連するリードおよび／または伝導トレースは、それらの柔軟性に関して実質的に等方性でおよび／または特性を広げる、可撓性の伝導性の繊維原料から成る。
【０００８】
「実質的に」等方性により、われわれは、いかなる方向に可撓性および/または伸縮性で10％の変動を超えないいくつかの実施形態において、全く15％の変動よりもより多くを持っていない、または任意の軸に沿った材料を含むことを意味する。適切な材料（例えばピエゾ抵抗ファブリック・センサ）はファブリック（例えば金属的被覆織物材）をコーティングしておよび／または含浸した、そして、被覆されているかまたは他のタイプの伝導の製剤を注入される繊維原料は従来技術において、周知であり、様々なかかるファブリック・センサが用いられることが可能である。いくつかの実施形態では、圧力センサーは、それらの柔軟性に関して伸ばすことができておよび／または弾力的でおよび／または実質的に等方性である可撓性伝導性の編まれた繊維原料から成り、および／または特性を広げる。
【０００９】
導電性の製剤で被覆された編まれたナイロン/スパンデックス基質を含む布地は、バイオメトリック圧力センサを製造する際に不規則な構成に環境安定性及びなじみ性を必要とする他の用途では、例えば、使用するのに適している。この種のｅ織物センサを使用することの１つの利点はそれらが多種多様な環境（例えば異なる温度および水分条件の下で）において、確実に実行するということであり、それらは皮膚に対して全般的に可撓性で、耐久性があり、洗濯可能および、気持ちよくすり切れている。適切な可撓性の伝導性の繊維原料は、例えば、米国ニューヨーク州パルミラＲｔ―３１  ４５０２のＶＴＴ／Ｓｈｉｅｌｄｅｘ  Ｔｒａｄｉｎｇから、ドイツのブレーメンのＫｌｅｉｎｅｒ  Ｏｒｔ  １１のＳｔａｔｅｘ  Ｐｒｏｄｕｃｔｉｏｎｓ＆Ｖｅｒｔｒｉｅｂｓ社から、および、米国カリフォルニア州Ｐｉｎｏｌｅベルモント・ウェイ７５０のＥｅｏｎｙｘ社  から利用できる。
【００１０】
ｅ織物繊維原料を用いて力および／または圧力測定値を得ることに関し技術は公知技術である。そして、さまざまな技術は適切でもよい。例えば、http ://www.kobakant.at/DIY/?p=913.を参照。ｅ織物繊維原料（例えば湿度および温度測定値）を用いて他のパラメータを測定することに関し技術が、公知でもあって、本発明の検知システムにおいて、用いられることもできる。例えば、http://www.nano-tera.ch/pdf/posters2012/TWIGS105.pdf.を参照。本発明の布帛のセンサは、このように現場で、力、圧力、湿度、温度、ガス含有量などを含むさまざまなパラメータを監視することが可能であり得る。ファブリック・センサの革新が進行するにつれて、そして、ナノ材料およびナノ構造を組み込んでいる材料が展開されて、商業的に可能になるにつれて、付加的なモニタリング能力はファブリック・センサを用いて利用できてもよい。導電性フレキシブル（および必要に応じて伸縮性または弾性）布センサ（単数または複数）は、リード線および/またはトレースはその上/中/に取り付けられ、または非導電性で柔軟な下地基質のような布またはシート材料に関連付けることができる。本明細書で使用される用語「布（ファブリック）」または「シート材料」は、織布又は不織布の繊維またはストランドを含む、伝統的な布地、ならびに繊維強化シート材料、及び柔軟シート材料の他のタイプを含む柔軟な材料の多くのタイプを指し可撓性プラスチックシート材料、柔軟な熱可塑性発泡体及び複合材料、スクリーン状または材料をメッシュなどを含む天然および/または合成材料からなる。下に横たわる基体は、伸縮性があっておよび／または弾力的である可撓性の繊維原料から加工品に仕上げられるシート材料から成ることができる。下に横たわる基体を形成しているシート材料は、その柔軟性に関して実質的に等方性でもよくておよび／または特性を広げてもよい。「実質的に」等方性により、われわれは、いかなる方向に可撓性および/または伸縮性で10％の変動を超えないいくつかの実施形態において、全く15％の変動よりもより多くを持っていない、または任意の軸に沿った材料を含むことを意味する。
【００１１】
衣服アプリケーションに関して、例えば、（例えば、縫われるかまたは取り付けられるかまたは接続されるかまたは固定される）衣服の内部表面に、使用の間、個人の皮膚と、直接または間接的に、接触して、個人の皮膚に対して動作する圧力またはパラメータが皮膚表面で、又はその近くで、検出した他ならを検出することに関し、一つ以上のセンサまたは検出装置を、載置できる。それらが外面またはファブリック層に衝撃を与えるにつれて、圧力または他のパラメータは測定されることが望ましい状況において、センサがそうであってもよい一つ以上は、衣服の外面に取り付けられる（例えば、縫われるかまたは取り付けられるかまたは接続されるかまたは固定される）。そのようなバンド、包帯、および独立して位置決め可能な感知構成成分としての用途では、センサは、同様に/上で/に取り付けることができ、またはユーザ、介護者または臨床医によって、望まれることは、好都合に配置できる（例えば、縫い付けまたは他の方法で取り付けられるかに接続または固定）下地基体に関連付けられている。
【００１２】
代わりの実施形態では、伝導性の糸および／またはｅ織物センサは、編まれることができるか、基体層（圧縮状態にソックスのように）にはさまれることができるかまたは、布基材に取り入れられることが可能である。
【００１３】
いくつかの実施形態では、伝導ファブリック・センサは、可撓性のバリア材料またはエンベロープに部分的に、または、十分に入れられることが可能である。センサ、リードおよび／またはトレースに関し使用される伝導性のファブリックは全般的に耐水性である。そして、多くのアプリケーションに関し、バリアを使わずに、耐水性ファブリックが最適に用いられる。しかしながらセンサが体液、天然液体または他の溶液（例えば、水、汗、他の身体の流体）にしばしばさらされる場合、材料のｅ特性（例えば、電気伝導度）は流体接触および生物学的であるか他の破片の蓄積に負に影響を受けることがありえる。この状態を緩和するために、センサ、リードおよび／またはトレースを液体または他の材料を有する指示するコンタクトから保護するために、実質的に液体不浸透性のバリアを提供できる。いくつかの実施形態では、センサを液体を有するコンタクトから保護して、中心的な抵抗特徴（ｅ特性）およびセンサのファンクションを保つために、伝導センサが実質的に液体不浸透性のバリアに入れられるサンドイッチ・アプローチを使用できる。被覆および/またはセンサは開放創傷にまたはヒトの皮膚、特に敏感な領域に直接露出させることができない場合に、センサはまた特に有用であり得る囲む保護バリアを提供する。バリアは単独でセンサを封止するために配置されることができ、または、リードおよび／またはトレースは同様に封止されることができる。被保護検知コンポーネントが使われるとき、障壁層の外面は接着材を介し、または、他の方法で下に横たわる基体（例えば、衣服、皮膚等）に取り付けられることが可能である。
【００１４】
各センサは２つの導電リードと全般的に関係し、信号転送ターミナルに電気的信号を伝達している伝導トレースに、リードの各々は電気的に接続している。伝導ｅ織物センサは、前述したように伝導リードに電気的に接続していることができ、またはファブリック・センサ足跡と関連するかまたはそれに取り入れられる可撓性のファブリック・リードを有することができる。一般に、可撓性、伝導ｅ織物導線は、高電気伝導度を有している伝導性の繊維原料から成ることができる。伝導性の糸、ファイバーなどを含む他のタイプの可撓性導線が、用いられることもできる。伝導リードは可撓性の伝導トレースに電気的に接続され、それは様々な可撓性の導電材料（例えば伝導性のファブリック、伝導性の糸など）から成ることができる。いくつかの実施形態では、少なくとも伝導トレースの縦軸に沿って、伝導トレースは、伸ばすことができておよび／または、弾力的である。いくつかの実施形態では、伝導トレースは、高電気伝導度（例えば銀メッキｅ織物材）を有する伝導性のｅ織物から成り、接着剤、熱結合または非伝導性の糸を用いて下に横たわる基体材料に結合されることができる。適切なｅ織物材料は、従来技術において、周知で、例えば、上で確認されるベンダーから入手可能である。
【００１５】
本願明細書において、記載されるセンサおよびファブリックｅ織物圧力センサーおよび様々な他のタイプのセンサを含むセンサシステムは、伝導リードおよびトレースによって、限定されるものではないが、個々の、例えばシャツまたは被膜、下着、レギンス、ソックス、はきもの、グローブ、キャップ、バンド（例えば手首バンド）、脚バンド、胴および後ろのバンド、ブラジャーなどの皮膚に対して着用される（直接または間接的に）ことを目的とする衣類を包含している様々な基体と関係していてもよい。システムが加えて、関係していてもよいセンサおよびセンサは、約一部の個人の本体をフィットするかまたは包むための、そして、バンド、包帯、材料を仕上げている損傷を有する異なるサイズおよび構成を有することを包んで、ならびに他であるによって、アクセサリの中でそのコンタクト・ユーザの体表（直接または間接的に）（例えばインソール）、靴、ブーツ、ベルト、ストラップ、などを入力する。記載されるように、各センサと関連した伝導リードは伝導トレースに電気的に接続し、それは下に横たわる基体衣服、バンド、ラップ、包帯、等と関連した信号転送ターミナルで終わる。
【００１６】
伝導トレースのそれぞれは、上/中/に取り付けられ、または関連付けられ、下にある基体を、専用の電子装置の嵌合信号受付端末（DED）を有するデータ記憶、処理および/または分析能力に関連付けることができ、信号伝達端子で終わる。一般に、ＤＥＤの信号領収書ターミナルの配置に対応する予め定められた配置に、導電トレースおよびターミナルは、配置される。多くの異なるタイプの信号転送および領収書ターミナルが、この出願において、公知で、用いられることが可能である。１つの例示的実施形態において、信号転送および受け取りターミナルは、ターミナルの摺動係合に関し、協働している備品に載置されることができる。他の一実施形態において、伝導トレース（そして、このことにより対応するセンサに）に電気的に接続していて、ＤＥＤに位置決めされる嵌合用伝導治具に着脱可能に、接続可能である伝導治具として、信号転送ターミナルを、提供できる。嵌合用ターミナルは、機械的に嵌合用、電気伝導部材（例えば安全な機械の嵌合用および高い完全性、信号の高い信頼性転送および／またはデータを提供している締着具のスナップまたは他のタイプ）から成ることができる。いくつかの実施形態では、容易な、そして、安全な、適切に最小の効果を有する嵌合ターミナルを接続して／切るのを、ユーザが助ける磁気機構または他のタイプの機構を用いて、ターミナルの中で嵌合することを、強化できる。例えば、機構は、自分自身の脚または足に手を伸ばして取る太りすぎの糖尿病患者を許容することができて、容易に過剰な効果のない着用できる装置に出入りするＤＥＤを鳴らすことができるかまたはスナップを外すことができる。
【００１７】
データ記録、処理および／または分析法機能を有することに加えて、ＤＥＤは、エネルギー源（例えばデータ記録に関しエネルギーを提供している電池）、処理および／または分析（センサの一つ以上のオペレーションに関しエネルギーを提供することと、同様に）を組み込むことができる。エネルギー源は望ましくは再充電可能なおよび／または入れ替え可能な電池ソースである。ＤＥＤは、全般的にデータ収集および処理エレクトロニクスおよび（任意の）エネルギー源に関し軽量および防水エンクロージャを提供して、センサから専用の電子装置までデータを伝達することに関しセンサに接続しているターミナルを転送によって、結合する受信ターミナルを提供する。
【００１８】
それが基体と関連した信号転送ターミナルで結合する信号受け取りターミナルを有している専用の電子装置は様々なフォームファクタをとることができ、下に横たわる検知基体および／または条件のフォームファクタおよび使用の間の装置の位置による。センサが足で検出される条件をモニタすることに関し靴下のようなフォームファクタに取り入れられるときに、例えば、信号転送ターミナルは靴下の距腿部の互いに近接して配置されることができ、ＤＥＤは、足関節または下部の脚の回りに部分的に伸びるバンドのカーブするフォームファクタとユーザの足関節または下腿の正面または横の部分に沿った下に横たわる信号転送ターミナルおよび靴下基体への付着を有するものとすることができる。センサがラップまたはバンドに取り入れられるときに、信号転送ターミナルは下に横たわる解剖学的組織体または体表へのその適用の後、ラップまたはバンドの露出端部で、又はその近くで、配置されることができ、ＤＥＤはバンドとして提供されることができ、または、整列配置していたタブまたはドングルのようであるかカプセルのような装置は受け取りターミナルの信号を送る。アプリケーションによって、ＤＥＤは実質的に可撓性であるか実質的に剛性コンポーネントとして提供されることができ、それは様態の種類をとることができる。
【００１９】
ＤＥＤは、金網をはったおよび／またはワイヤレス・データ通信手段およびプロトコルを用いた一つ以上の外部のコンピューティングおよび／または表示システム（ｓ）（例えばスマートフォン、コンピュータ、タブレット・コンピュータ、専用のコンピュータ、医療記録システム等）にデータを好ましくは通信して、転送する。集中化したホスト・コンピュータ・システム（例えば、クラウドに位置決めされる）と、ＤＥＤおよび／または外部のコンピューティングおよび／または表示システムは、次に、通信できる。ここで、更なるデータ処理および分析は生じる。データ・ディスプレイ、通知、警報などを含む実質的にリアルタイム・フィードバックは、ユーザ、管理人および／または臨床医選択に従ってユーザ、管理人および／または臨床医に提供されることができる。
【００２０】
いくつかの実施形態では、ＤＥＤは、ローカルメモリに一時的にデータを記憶することができ、上述の外部のコンピューティングにデータ（例えば、バッチで）を周期的に転送および／またはシステムを表示する。データ・ディスプレイ、通知などを含むオフライン処理およびフィードバックは、ユーザ、管理人および／または臨床医選択に従ってユーザ、管理人および／または臨床医に提供されることができる。
【００２１】
作動中、認証ルーチンまたはユーザ識別システムは、ＤＥＤに適合させて、検知システム（例えば、下に横たわる基板と関連したセンサのコレクション）をユーザ、管理人および／または臨床医と関連させて、他のソースから外部コンピュータ・システムにあるソフトウェア―および／またはファームウェア―実装システムまでユーザ情報またはデータを連結できる。システムまたは施設を計算している集中化したホストと、外部コンピュータは、それ自身で通信することができ、データが、処理されて、分析されて記憶されるところなど、そして、出力、通信、命令、命令、などがユーザへの配達、管理人および／または外部コンピュータおよび／またはＤＥＤによる臨床医に関し作成されることができる。
ＤＥＤおよび被接続関連したセンサシステムが特定のユーザに関し最適に動くように適切に構成されることを確実にするために、校正ルーチンを、提供できる。データ収集を容易にするためにユーザ情報またはデータを入力するためにユーザ（または暫定的であるか医学専門家）を案内するために、構成および準備ルーチンを、提供できる。そして、特定のユーザに目標とされるデータ収集および分析を提供するように、さまざまなプロトコル、ルーチン、データ分析および／または表示特性、などはユーザ（または暫定的であるか医学専門家）により選択されることができる。具体例は、下に提供される。検知データに基づいて、通知およびアラーム・システムは、提供されることができ、ユーザに対し、および／または管理人および／または、実質的にリアルタイムに、医学プロバイダに対する警告、警報、などを選択的に、メッセージを提供するように使用可能である。
【図面の簡単な説明】
【００２２】
【図１】図１は、靴下フォームファクタを有し、導電性経路によって、一つ以上のターミナルに電気的に接続している一つ以上のセンサ・パッチを有している典型的な検出装置を示す。
【図２】図２は、図１に示され、それと同様で、導電性経路によって、ターミナルに電気的に接続しているセンサ・パッチの異なる配列を有している他の典型的な検出装置を示す。
【図３】図３は、図１および２に示され、それと類似の典型的な検出装置の他のビューを示す。
【図４】図４は、検出装置のターミナルのビュー、並びに、靴下上のターミナルに取り付けられるとき、検出信号またはデータを捕え、任意に処理し、記憶し、および／または、分析する着脱可能な専用の電子装置の分解図を示す。
【図５】図５は、図４に示され、それと類似の典型的な着脱可能な電子装置の拡大、分解ビューを示す。
【図６Ａ】異なる構成において、提供される導線を有している典型的なセンサの概略図を示す。
【図６Ｂ】異なる構成において、提供される導線を有している典型的なセンサの概略図を示す。
【図７】図７は、導電トレースに接続している導線の各々を備え、布基材に載置する図６Ａに図示されるタイプのセンサを例示している画像を示す。
【図８】図８は、靴下様のフォームファクタの布基材の内部表面に載置する２つの典型的な導電トレースを例示していて、布基材を透過する伝導信号伝達するターミナルに、ここを終端として接続している画像を示す。
【図９】導電トレースに接続している導線の各々および伝導の信号伝達するターミナルに、ここを終端として接続しているトレースの各々について、図９は、布基材に載置する図６Ａに図示されるタイプの２つの典型的なセンサを例示している画像を示す。
【図１０】図１０は、靴下様のフォームファクタの布基材の外面を例示し、中継デバイスのターミナルと嵌合することに関し複数の導電性端子を示している画像を示す。
【図１１Ａ】ユーザの足関節またはより低い脚部部分で上昇することに関しカーブするフォームファクタを有している信号伝達するターミナルにつながることに関し専用の電子構成部品を例示している画像を示す。
【図１１Ｂ】ユーザの足関節またはより低い脚部部分で上昇することに関しカーブするフォームファクタを有している信号伝達するターミナルにつながることに関し専用の電子構成部品を例示している画像を示す。
【図１２Ａ】図１２Ａおよび１２Ｂは、嵌合磁気スナップを介して、専用の電子構成部品と信号伝達するターミナル間の機械式および電気接続線を提供している嵌合機械式および磁気締着具の一実施形態を例示している模式的な図を示す。図１２Ａは、雄コネクタの典型的なコンポーネントを例示している模式的な分解図を示す。
【図１２Ｂ】図１２Ａおよび１２Ｂは、嵌合磁気スナップを介して、専用の電子構成部品と信号伝達するターミナル間の機械式および電気接続線を提供している嵌合機械式および磁気締着具の一実施形態を例示している模式的な図を示す。図１２Ｂは、雌コネクタの典型的なコンポーネントを例示している模式的な分解図を示す。
【図１３】データ収集に関し外部端子に接続している図１１Ａおよび１１Ｂで示すアンクレットのようなフォームファクタおよび、任意に、分析を有している中継デバイスで、図１３は、ユーザの足に適当な靴下のようなフォームファクタを有している図７―１０に示されるタイプのセンサを作動する装置を例示している画像を示す。
【図１４】図１４は、例示的なデータ収集装置の基本コンポーネントを例示していて、維持される基板、外部コンピュータおよび集中化したホストシステムで提供されるセンサでそのインタフェースを例示している（例えば、クラウド）ブロック図を示す。
【図１５】図１５は、それぞれに位置決め可能なセンサが患者またはケア提供者の裁量で配置に関し導電リードおよび信号伝達するターミナルに取付けられたことを示している画像を示す。
【図１６Ａ】図１６Ａは、患者および／または管理人が条件（例えば、圧力または剪断）をモニタすることを望む位置（例えば、患者の足の、または、包帯の層間の一番下上の）で図１５に図示されるタイプのそれぞれに位置決め可能なセンサ・デバイスの設置を例示する。
【図１６Ｂ】図１６Ｂは、専用の電子構成部品への接続のために、例えば、患者の足の最上位で、または、包帯の外側に位置決め可能であるセンサに接続している導電トレースに接続している信号転送ターミナルを例示する。
【図１７】図１７は、用途が広いラップと結合する図１５―１６Ｂにて図示したように、センサ・デバイスを用いて検知システムの１つのビューが電子中間試験、例えばＤｅｄｉｃａｔｅｄ  Ｅｌｅｃｔｒｏｎｉｃ  Ｄｅｖｉｃｅ、ＤＥＤへの接続に関し露出するターミナルを伝導の信号によって、転送ことを示している画像を示す。
【図１８Ａ】図１８Ａおよび１８Ｂは、保護、実質的に液体非透過性バリアを使用している典型的な織物センサを例示する。図１８Ａは組み立てられたセンサシステムの一方の表面を示す。
【図１８Ｂ】図１８Ａおよび１８Ｂは、保護、実質的に液体非透過性バリアを使用している典型的な織物センサを例示する。図１８Ｂは組み立てられたセンサシステムの逆の表面を示す。
【図１９】図１９は、導線を有する一つ以上のセンサを有している検知システムおよび包帯またはラップ・フォームファクタのターミナルに、ここを終端として接続している導電トレースに関して略図で例示する。
【図２０】図２０は、導線を有する複数のセンサを有しているファブリック・ベースの検知システムおよびデータ収集、記憶および／または処理に関し中間の電子装置への接続に関し信号伝達するターミナルに、ここを終端として接続している導電トレースに関して略図で例示する。
【図２１】図２１は、損傷（例えば足潰瘍）を監視することに関しデータ表示を処分している患者の準備プロトコル、臨床医ダッシュボードおよび患者に関して略図で例示する。
【図２２Ａ】図２２Ａ―２２Ｌは、典型的な臨床医ダッシュボード、患者を下ろしているデータのグラフ図および獲得した圧力データの典型的なサンプルとともに、セットが上げる典型的な装置、較正およびモニタリング基準入力およびルーチンを例示する。図２２Ａは、典型的な準備および較正ステップを示す。
【図２２Ｂ】図２２Ｂは、典型的な患者のデータ入力ルーチンを示す。
【図２２Ｃ】図２２Ｃは、典型的な装置準備ルーチンを示す。
【図２２Ｄ】図２２Ｄは、典型的な装置準備ルーチンを示す。
【図２２Ｅ】図２２Ｅは、他の典型的な装置準備ルーチンを示す。
【図２２Ｆ】図２２Ｆは、他の典型的な装置準備ルーチンを示す。
【図２２Ｇ】図２２Ｇは、典型的な監視日常的な準備を示す。
【図２２Ｈ】図２２Ｈは、他の典型的な監視日常的な準備を示す。
【図２２Ｉ】図２２１は、典型的なユーザ校正ルーチンを示す。
【図２２Ｊ】図２２Ｊは、現在の本発明の検出装置を用いて複数の患者に関し患者の状態情報を表す典型的な臨床医ダッシュボードを示す。
【図２２Ｋ】図２２Ｋは、データ表示を処分している典型的な患者を示す。
【図２２Ｌ】図２２Ｌは、現在の本発明の典型的な検知システムを用いて集められる典型的な圧力データを示す。
【図２３】図２３は、一つ以上のターミナルに電気的に接続している一つ以上のセンサで、靴下に位置決めされて、その後専用の電子装置にむこうずねプロテクタに位置決めされるセンサを有している典型的な検知システムを示す。
【発明を実施するための形態】
【００２３】
ある実施形態では、センサを組み込んでいるシステム、導線、トレースおよびターミナルにおいて、靴下のようなフォームファクタにおいて、使用するセンサおよびセンサシステムは、靴下のようなフォームファクタを有している衣服に載置されることができておよび／またはそれにおいて、または、それに関連した組み込まれることができる。この実施形態のあるバージョンは、図１―５に図示される。一般に、各センサからデータを集めて、外部コンピュータおよび／またはモバイル機器へ通信する、専用の（そして、好ましくは着脱可能な）電子装置に、信号および／またはデータを提供する一つ以上のセンサ、導線、トレースおよびコネクタを、靴下の形の基体材料は、備えていることができる。はきものおよび靴下アプリケーションで使用するセンサは典型的に足の一つ以上の領域で圧力（および／または力または剪断）のレベルを検出することで能力のある圧力センサーを包含して、他のタイプのセンサを含むことができる。そして、温度、加速度計、心拍数モニタおよび／または水分センサ、などを包含する。検出圧力に基づいて、基本的にリアルタイムに、力および／または足の一つ以上の領域の剪断および一つ以上の監視期間にわたるそれらのパラメータ、下に横たわる皮膚または組織の適当なオフロードおよび関連した条件の不足に関する結論、治癒進行（または治癒の不足）、不快、範囲および損傷、などの重大性のトレンドは、招かれることができて、ユーザ、管理人および／または臨床医に通知されることができる。更に、基本的にリアルタイムに、通知、警報、推奨された動き、などは、データ分析に基づいてユーザ、管理人および／または臨床医に通知されることもできる。これらのシステムは、などの医学および患者の付着監視アプリケーション、糖尿病の（そして、他の）フット・モニタリング、スポーツおよび適合性アプリケーション、はきものを合わせているアプリケーション、軍のアプリケーションの使用に適している。
【００２４】
靴下のようなフォームファクタで例示されるセンサシステムの一実施形態は、図１―５に図示される。本実施形態において、靴下１の形の柔軟なおよび好ましくは伸ばすことのできる布基材は一つ以上のセンサを有する。そして、センサ・パッチ２として示される。そして、本願明細書において、開示されるように、任意に、可撓性および伝導性のファブリックから組み立てられる一つ以上の圧力センサーを包含する。センサ・パッチ２の各々は導線および導電トレースまたはスレッド３を有する。そして、各々が伝導の信号転送ターミナル４に、ここを終端として接続する。センサは２を修復すし、導電トレースまたはスレッド３は靴下を形成しているファブリックに織られることが可能であるか、または靴下を形成しているファブリックの表面に適用されることができる。実施形態において、靴下が着用されるときに、ユーザの皮膚（直接または間接的に）に接触するファブリックの内部表面に、ｅ織物圧力センサーは、適用される。追加ファブリック・センサが靴下に関連して用いられることができ、追加信号転送ターミナルに、ここを終端として接続している導線およびトレースを有する靴下に、熱感知器（例えば、熱電対）、水分センサ、などを含む他のタイプのセンサは取り入れられることもできる。一般に、導電トレースは下に横たわる布基材の内部または外面に適用されることができる。そして、ターミナルは布基材の外面にアクセス可能な伝導転送インタフェースを好ましくは有する。図１―５に図示される実施形態において、信号転送ターミナル４は靴下の表面に近接して配置される。但し、それらが他の場所に配置されることができると認められる。
【００２５】
着脱可能な電子装置（ＤＥＤ）のターミナルを受信している嵌合信号に、靴下のセンサにつながる信号転送ターミナル４は、接続可能である。典型的なＤＥＤｓを例示している簡略図は、図４および５に示される。着脱可能な電子装置５は、信号転送ターミナルの各々から信号を受信して、センサの各々から、かくしてデータを集める。図４に示すように、靴下（または他の検出装置）に位置決めされるターミナル４にＤＥＤを取り付けることに関し、ＤＥＤは、機械的インタフェース６と、コンポーネントおよび提供している信号が検出装置（例えば、靴下上のターミナル）から内部ＤＥＤコンポーネントまで転送内部ＤＥＤを保護しているハウジング部品７と、靴下検出装置のターミナル４から信号を受信している電子および通信コンポーネント１０および導電性端子９と、相リング１２およびＤＥＤを起動させることに関し、パワー・ボタン１４を有している外部ハウジングのふた１３とを有する。他の簡略ＤＥＤは図５に示され、靴下（または他の検出装置）に位置決めされるターミナル４にＤＥＤを取り付けることに関し機械的インタフェース６と、ハウジング、電子および通信コンポーネントおよび外部ハウジングのふた１３を提供している集積されたコンポーネント１５と、を有する。下に横たわる靴下検出装置から信号および／またはデータを結びついて、ダウンロードすることに関し、ＤＥＤの多くの他のタイプおよびスタイルが提供されることができることはいうまでもない。
【００２６】
実施形態において、機械的に嵌合スナップが、ターミナル・インタフェースとして用いられて、１つのスイッチの位置（付属の）から第2の位置（分離した）まで外部の駆動力によって、急にオン／オフに切替えられる機械的スイッチとして作用した。他の一実施形態において、靴下からＤＥＤへ信号および／またはデータを移すことに関し嵌合ターミナルとして、伝導、磁気バネ式のスイッチが、用いられる。図１２Ａおよび１２Ｂは、かかるスナップの１つの特定の設計を示す：下に横たわる基板に位置決めされるスナップの雌型部の磁気コンポーネントとの固体の接続を引きつけて、維持するために、外部磁気リングが、男性（ＤＥＤ）スナップに用いられることが可能である。この実施形態例では、磁場の特性は、１つの方位において、接続することがありえるだけであるスナップを作成するために用いることができる：このようにして、適切にＤＥＤを下に横たわる基体と関連したセンサシステムに接続するために、ユーザは、案内される。ＤＥＤの回路は、ＤＥＤとセンサシステム間の磁気接続の存在に基づいて自動的にデータ収集を、例えば、オン／オフする能力を提供できる。信号転送ターミナルに付属し、信号転送ターミナルからＤＥＤを分離し、検知システムからＤＥＤへ信号および／またはデータを移すために、多くの他のタイプの機械式および非機械式インタフェースが用いることができることはいうまでもない。
【００２７】
ＤＥＤの回路は、センサ信号を読み込むことに関し提供されることができる、ファームウェアは、信号データを処理して、ポスト処理アルゴリズムを適用して、外部のコンピューティングに通信に関しデータをフォーマット化することに関し提供されることができておよび／または装置を表示できる。ＤＥＤは、収集、フィルタリング、処理、分析データ、等に関しファームウェアおよび／またはソフトウェア構成要素を組み込むことができる。ある実施形態では、ＤＥＤは、到着信号ノイズを低減させる低いパス・フィルタリング・アルゴリズム、装置および付加的なノイズ・フィルタリングの短絡を回避するプルアップ抵抗器ロジックの一部を少なくとも適用するファームウェア・サブルーチンのホストをつとめる。
【００２８】
実施形態において、例えばデータをダウンロードする電話、パーソナルコンピュータ、コンピュータなどのような外部のコンピューティングまたは表示装置に、ＤＥＤは、物理的にデータ収集に関し検知基体（例えば、靴下）に取り付けられることができ、センサ・ターミナルから分離されることができ、（例えば、ＵＳＢまたは他の配線接続を介して）物理的に取り付けられることが可能である。他の実施態様において、ＤＥＤは、（例えばブルートゥース、ＷｉＦｉまたは他の無線標準を使用して）無線通信能力を好ましくは有し、ワイヤレスで信号および／またはデータをコンピューティングおよび／または表示装置に発信する。ＤＥＤはかくして、コンピューティングおよび／またはディスプレーの能力を有する外部電子装置に、通信システムにより接続される。外部のコンピューティングまたは表示装置は、データを処理し、分析し、伝達しおよび／または、表示するために、全般的にクライアント・ファームウェアおよび／またはソフトウェアおよび処理ファームウェアおよび／またはソフトウェアのホストをつとめる。ファンクションおよび処理（例えばＤＥＤおよび外部コンピュータおよび／または表示装置の間において、データ処理、分析、通信および表示ファンクション）の分割が多くの要因に応じて変化することができて、少なくともいくつかの範囲で自由裁量のことはいうまでもない。
【００２９】
いくつかの実施形態では、クライアントソフトウェアおよび通信システムは外部コンピュータ（例えば、コンピュータまたはモバイル機器（例えばタブレットまたはスマートフォン）にホストをつとめられ、フィードバックを提供し、ウェブ・サービスを経てインターネット接続で通信して、収集したデータを押して、サービスから処理されたデータを検索して、ユーザにそれを（または伝達して）表示するために、ユーザと交流する。クライアントソフトウェアは、複数のプラットフォーム（パーソナル・コンピュータ、タブレット、スマートフォンに限られない）およびサブ―コンポーネント（診断法、トラブルシューティング、データ収集、スナップアンドマッチ、ショッピング）上で、豊かなおよび完全なユーザ体験を加えるために動作することがありえる一組のアプリケーションを含むことができる。経験は、インターネット・ブラウザによって、加えられることもありえる。
【００３０】
いくつかのアプリケーションに関して、ユーザ・データを確認して、側面図を作って、群がらせるために、クラウドソーシング・ロジックおよび／または機械学習技術を適用するサーバソフトウェア・コンポーネントを、実装できる。データは、データベースに記憶されることができ、連続的または断続的に到来するユーザ供給及び/又はセンサ供給されたデータを用いて更新できる。画像およびパターン認識能力を提供する任意のソフトウェア構成要素を実装することもできる。いかなるテキスト入力も入力することのない入力データ（例えば画像、データベースなどからアクセスされる外部データ）に、この特徴は、ユーザを許容できる。
【００３１】
センサシステムのこの具体例が靴下フォームファクタに関して記載されると共に、ｅ織物センサが他のタイプの着用できる衣類（例えば、下着、Ｔシャツ、ズボン、タイツ、レギンス、帽子、グローブ、バンド、など）によって、（および／または適用して）用いられることが可能であることはいうまでもない、そして、異なるタイプの衣類で例示される様々なセンサシステムを有するインタフェースに、異なる構成を有する専用の電子装置を、設計できる。センサのタイプ、衣服、センサの設置、ユーザ識別、などは、認証および初めの装置較正セット・アッププロトコルの間、入力されることができる。
【００３２】
靴下フォームファクタのｅ織物センサを用いたセンサシステムの他の例示的実施形態は、図６Ａ―１３に示される。図６Ａは、導線Ｌ１およびＬ２を有する典型的なファブリック・センサＳを示す。この例では、センサＳＩはｅ織物伝導性のファブリックの方形の部分から成り、導電リードＬ１およびＬ２はセンサＳＩの対向側に配置される。センサＳＩの同じ伝導の構造の中で、導電リードＬ１およびＬ２は一体延長部または部分として示される、しかし、他のタイプの導線が用いられることもできる。図６Ｂは統合された導線Ｌ３を有している類似のファブリック・センサＳ２を示す。そして、Ｌ４がセンサの一般の側から伸びる。方形のセンサが例示されるにもかかわらず、各種のサイズおよび構成を有するファブリック・センサが提供されることができると認められる。センサと同じ特性を有する導電リードが使われることができ、または、他のタイプの導電リードを、使用できる。センサに関する導線の配置が変化できるとも認められる。そして、センサおよび鉛のコンポーネントの特性、サイズおよび構成による。
【００３３】
Ｅ織物センサはさまざまな方法で下に横たわる布基材（例えば、伸ばすことのできる、編まれたファブリック）に、または、それに関連した載置される。そして、裁縫、接着性結合、熱結合などを包含する。図７は、伸ばすことのできる、編まれた靴下の内部に取り付けられる図６Ａに示される構成を有しているｅ織物センサＳＩを示す。センサ・リード線Ｌ１およびＬ２は下に横たわる靴下に縫われるかまたは結合される。そして、導電トレースＴ１およびＴ２は取り付けられて、示すように、導線Ｌ１およびＬ２に電気的に接続している。本実施形態において、センサＳＩおよび導線Ｌ１およびＬ２の材料から異なる特性を有しているｅ織物繊維原料から、導電トレースＴ１およびＴ２は、製造される。
【００３４】
図８―１０に示すように、導電トレースＴ１，Ｔ２は、導電性端子ＣＴ１、ＣＴ２に、ここを終端として接続する。この図示された態様において、内部から靴下の外面まで基体靴下材料を透過する伝導機械式スナップとして、導電性端子ＣＴ１、ＣＴ２は提供される（図８参照）。センサ／鉛／トレース／ターミナルの配置を有する靴下の内部は、図９に図示される。複数のファブリック・センサを、実装できる。そして、足の異なる領域に位置決めされる複数のセンサから集められるデータを伝達している複数の導電性端子に結果としてなる。他のタイプのセンサがこの靴下フォーマット検出装置（及び、検出装置の他のフォーマット）において、集積されることができることはいうまでもなく、追加導電性端子が他のタイプのセンサから信号および／またはデータの伝送に関し提供されることができることはいうまでもない。第１のセンサに対応する靴下を有している信号転送ターミナルＣＴ１、ＣＴ２、および、第2のセンサに対応する信号転送ターミナルＣＴ３及びＣＴ４の外側は、図１０に図示される。本実施形態において、信号転送ターミナルは靴下の上の円周に沿って整列配置され、アンクレットとして本実施形態において、示される。
【００３５】
信号転送の一実施形態および、機械的に、そして、磁気的に、着脱可能に、嵌合する信号領収書ターミナル構成は、図１２Ａおよび１２Ｂに示される。示すように、これは、嵌合用オス（図１２Ａ）および雌（図１２Ｂ）コネクタ構成要素を有する機械式二部スナップ装置である。雄コネクタ２０は非導電性リング部材２２によって、囲まれる中心伝導のピン・エレメント２１と、磁気周辺部部分２３を有することを備える。雌のコネクタ２５は、エレメント２６を受信している中心伝導ピンとコネクター部が互いに機械的にまたは磁気的に接続している雄コネクタの伝導の領域への電気的に接続されるコンタクトとを備えている。雌コネクタ２５もは、非導電性カラー２７と雄コネクタの対応するコンポーネントを有するメイトへの大きさを設定されて、構成される磁性カラー２８とを備えている。図１２Ａおよび１２Ｂに図示されるコンポーネントは、分解図に示され、アセンブリされるとき、コネクタ構成要素はコンパクトで非常に機能コネクタを提供するために入れ子になっている。磁気的に予め定められた方位において、整列配置されるときにだけ、接続可能であるオスおよび雌のコネクタを提供するように、磁気部品２３、２８の両極性を、調整できる。そして、それは嵌合用ターミナルのユーザ接続を容易にすることができる。この典型的な嵌合用ターミナル構成が丸い構成を有して例示されるにもかかわらず、線形で、多角形で、卵円ものを含む他の構成など使うことができることはいうまでもない。
【００３６】
図１１Ａおよび１１Ｂは、靴下基体と関連したセンサ／鉛／トレースからＤＥＤまで信号および／またはデータ転送を提供するＣＴ１―ＣＴ４のような導電性端子と機械的に結合する信号領収書ターミナルＲＴ１、ＲＴ２，ＲＴ３、ＲＴ４を有している専用の電子装置（ＤＥＤ）４０の１つの例示的実施形態を例示する。ＤＥＤ４０は、図１１Ａおよび１１Ｂにて図示したように、処理、メモリおよび／または通信コンポーネントを含んでいる内部スペースを同封しているカーブするハウジングまたはケースから成る。本実施形態において、図１３にて図示したように、ＤＥＤ４０は、足関節の靴下の外側またはユーザの下の脚領域上にインストールされることができる。ＤＥＤ４０は、ハウジングの中で提供される電子構成要素を保護している保護および防水ハウジングまたはケースを好ましくは提供する。ハウジングは、実質的に剛性であるか実質的に可撓性コンポーネントとして提供されることができ、様々なＤＥＤフォームファクタは、下に横たわる基体および信号転送ターミナルのタイプおよび配置により提供されることができる。
【００３７】
ＤＥＤは、ハウジングの中に処理、メモリおよび／または通信機能を組み込む。典型的なＤＥＤコンポーネントおよびインタフェースを例示しているブロック線図は、図１４に示される。そして、処理部に、ＤＥＤは、適切な処理手段（例えばアナログフィルタ）に対するアナログ入力信号にＡ／Ｄコンバータを入れる信号受け取りターミナル（「スナップコネクタ」として示される）を有する。示すように、任意の手動制御入力および一つ以上の任意の出力ディスプレイは、ＤＥＤにおいて、または、それに提供されることができる。ローカルメモリは提供されることもでき、示すように、有線または無線プロトコルで外部的に信号および／またはデータを伝達するために手段を、提供できる。例えばクラウドで、または、集中化したデータ処理および分析機能で、信号またはデータは、外部コンピューティング装置または装置（例えばコンピュータ、基地局、スマートフォンまたは他のブリッジ・デバイス）におよび／または遠隔位置の集中化した、ホスト施設にＤＥＤから伝達される。予定されているおよび／または予めプログラムされた命令に従うデータ分析の後、示すように、データ出力、分析、通知、警報、などは、集中化した主催された施設からブリッジ・デバイスおよび／またはＤＥＤまで伝達される。これが１つの典型的なデータフロー方式であることはいうまでもない、そして、その多くの他の仕事フローが現在の本発明の検知システムに関連して都合よく使うことができる。
【００３８】
靴下フォームファクタを有している着用できる基体に関してこれらの特定実施形態が例示されて、記載されたにもかかわらず、センサ、導線、トレースおよびターミナルならびに異なるタイプのＤＥＤが他のタイプの衣服および非衣服アプリケーション用に構成されることができることはいうまでもない。類似のタイプの可撓性ｅ織物センサは、織られたおよび不織生地を包含し、多種多様な非導電性下に横たわる可撓性基体材料に適用されることができるかまたは関連することができ、様々なセンサシステムに取り入れられることが可能である。追加例示システムが下に記載され、非限定的である。
【００３９】
現在の本発明の付加的な使用、可撓性センサおよびセンサシステムにおいて、ラップ、バンドおよびシートセンサ・アプリケーションが、それぞれに位置決め可能なセンサー構成部品として製作されることができて、様々なアプリケーションで用いられることが可能である。図１５は、導線（不可視）を介して、導電トレースＴ１およびＴ２に電気的に接続している可撓性圧力センサーＳＩから成るそれぞれに位置決め可能なセンサシステムに関して略図で例示し、伝導の信号転送ターミナルＣＴ１およびＣＴ２に次々に電気的に接続している。圧力センサーＳＩ、導線および／または導電トレースは、機械的一体性を提供する下に横たわる非導電性可撓性基体に取り付けられることが可能であるかまたは関連することができて、システムの耐久性を強化されることができる。上記の通りで、この種の独立可撓性センサシステムが多種多様なセンサ・サイズおよびセンサ・ファンクション、トレース長、構成、下に横たわる基板、などを用いて製作されることができ、センサの付加的なおよび異なるタイプがかかる独立可撓性センサシステムに取り入れられることが可能であることはいうまでもない。
【００４０】
この種のそれぞれに位置決め可能な可撓性センサシステムの一つ以上は、ユーザ、世話人および/または臨床医によって、所望の身体部位に置かれることができて、バンド、ラップ、または他のアンカー装置を用いてサイトに固定されることができる。図１６Ａおよび１６Ｂは、足をくるむ包帯、または、それの範囲内の表面上のそれぞれに位置決め可能なセンサシステムの使用に関して略図で例示する。図１６Ａは、足の一番下の近くの位置に要望通り配置されるセンサＳＩを示す。様々な非導電性係合手段（例えばフックおよびループおよび他のタイプの締着具）を用いて要求される場合、センサＳＩは所望の検知位置に固定されることができる。固定手段（例えばフックおよびループ締着具）は、センサＳＩの表面（または部分的な表面）に載置できるかまたはそれと関連できる。DEDおよびデータのダウンロードを接続するためのアクセスを提供し、図16Bに示すように、足の上部のまたは足首または下肢位置のようなアクセス可能な外部の位置で配置されるかまたは位置決め可能な伝導の信号転送ターミナルＣＴ１、ＣＴ２に、導電トレースＴ１、Ｔ２は、信号／データを発信する。適所に所望の検知位置で、そして、信号転送ターミナルへの外部のアクセスを維持するために、センサシステムおよびセンサを固定するために、ラップ、バンド、包帯、または他の固定システムは、配置の後、センサシステム周辺で包むことができる。
【００４１】
図１７は、集積されたセンサシステムを有し、またはそれぞれに位置決め可能なセンサシステムと組み合わせて使用可能な足ラップ５０を例示し、例えば、図１６Ａおよび１６Ｂにおいて、ラップ５０の内面と足（または他の体表）との間に、ラップ５０に置かれる実例を示される。センサは足上の所望の検知サイトに位置決めされ、伝導の信号転送ターミナルＣＴ１、ＣＴ２はＤＥＤにアクセス可能である位置にラップ３０の外側に配置される。これは、ラップこのタイプのシステムが示され、足ラップを参照して説明したが、それは大きさ、構成、および感知能力の多様を有するラップ、包帯、傷および/または潰瘍ドレッシングの材料などのさまざまなタイプに具現化され得ることが理解されるであろう。センサおよび伝導信号転送ターミナル、及び、導電トレースの経路の位置は、非常に可撓性で、多くにおいて、異なるタイプのアプリケーションを検出することに関し構成されることができる。
【００４２】
一つ以上の保護層または材料が一つ以上のセンサを保護するために提供されることができる１つの例示的実施形態を、図１８Ａおよび１８Ｂは例示し、任意に、付随するものはリードする。そして、全てまたは導電トレースの部分は、液体を有するコンタクトから、流体または他の溶液を具体化する、その一方で、センサの中心的な抵抗特徴およびファンクションを保つ。保護バリアは、不浸透性液体または実質的に液体不浸透性の材料（例えば全般的に薄いプラスチック・シート材料）または（センサの検知性能を妨げない）複合シート材料から成ることができる。実質的に不浸透性液体とは、センサの特徴およびファンクションに影響を及ぼすのに十分、材料の液体浸透が実体がないことを意味する。保護バリアは、任意に空気を通すことができ、および／または気体透過性でありえる。多数のかかる液体不透過性バリヤー材料は、公知である。いくつかの実施形態では、保護バリアは、センサの１つの表面に提供されることができる、実施形態によっては、センサを実質的に液体非透過性エンベロープまたはポーチに実質的に封入するサンドイッチタイプまたはエンベロープタイプのバリアが、使うことができる。
【００４３】
図１８Ａおよび１８Ｂに示す実施形態では、バリア３０は薄い、可撓性シート材料から成り、センサＳを通じて、それ周辺で伸び、センサを液体不透過性バリヤーまたはエンベロープに入れる。図の実施形態では、バリア３０の表面またはエッジは封止される。そして、封止３１でセンサＳの周辺部周辺でポーチを形成する。密封されたセンサ・コンポーネントを下に横たわる表面または基体（例えば衣服、ユーザの皮膚等）に取り付けることに関し、粘着帯３２は、保護バリアの１つの表面（または両方の表面）に提供されることができる。粘着帯３２が封止３１の外側で周囲バンドを形成して示されるにもかかわらず、接着成分（他のタイプの取付機構と同様に）が被保護センサー構成部品に適用されることができるかまたはそれに関連して使うことができることはいうまでもない。図１８Ａおよび１８Ｂ、センサＳおよび導線の図示した実施形態において、Ｌ１およびＬ２は、保護バリア３０の範囲内に入っており、導電トレースＴ１およびＴ２伝導の信号転送ターミナル（図示せず）に対する取付けに関しバリア３０を出る。付加的な材料層は、いかなる所望の機能も提供するために、図１８Ｂに示すように、バリア内部でおよび／またはそれの外側で提供されることができる。
【００４４】
図１９は、損傷上の、または、それの近くの配置に関し可撓性包帯３５に、または、ラップに適当な導電トレースＴ１、Ｔ２または他の基体に電気的に接続している導電リードＬ１、Ｌ２を有している可撓性圧力センサーＳに関して略図で例示する。信号転送ターミナル（図示せず）は、包帯の対向側に位置決めされて、信号転送に関しターミナルを受信しているそれぞれに位置決め可能な信号に接続していることができる。異なる体表上の、そして、異なるサイズおよび構成の体表上の異なるサイズおよび構成を有している包帯の設置に関して、このシステムは柔軟性を提供する、その一方で、便利および柔軟な信号転送ができるようにする。
【００４５】
図２０は、可撓性および非導電性である基体シート材３６に／その中に／その上に、又はそれと関連して取付けられる複数の圧力センサー（Ｓ１―Ｓ６）を略図で例示する。センサＳ１―Ｓ６の各々は、基板３６の端に位置決めされる信号転送ターミナルに、ここを終端として接続する導電トレースに電気的に接続している導電リードを有する。信号転送ターミナルは、一つ以上のＤＥＤ（ｓ）のターミナルを受信している嵌合用信号に接続可能で、また、基体の端に装着可能である。本実施形態において、整列配置された信号転送ターミナルにつながることに関し、ＤＥＤは、ストリップのようなフォームファクタを有することができる。ユーザが座り、横たわり、同様にする位置で圧力および／または剪断に関してデータを提供するために、この種のセンサー配列およびシステムは、例えば、様々な形の衣類、シーツ、椅子パッド、等に関連して、用いることができる。
【００４６】
図２１は、現在の本発明のシステムをモニタしている健康診断によって、使われる典型的なコンピュータおよび／またはファームウェアおよび／またはソフトウェア実装されたプロセスに関して略図で例示する。いくつかの実施形態、患者の準備および（オプション）装置において、プログラム選択に従ってデータ出力および分析を提供しているユーザおよび／または臨床医ダッシュボードと同様に、認証、プログラム選択などが提供される。ユーザおよび／または臨床医に返される出力の１つの具体例は、患者オフロードデータとして例示され、システムにおいて、提供される圧力センサーのいずれかのサイトで、圧力条件（そして、下に横たわる皮膚の条件および組織）に関して、ユーザおよび／または臨床医に情報を提供する過剰な圧力として表される。
【００４７】
現在の本発明の１つの典型的な方法論において、モニタされることが望ましい本体域またはそれぞれに位置決め可能な検知バンド（または包帯）に近接して配置されるセンサを有するユーザに、本願明細書において、記載される一つ以上の検知システムを有している衣服は配置され、または、モニタされることが望ましいユーザの一つ以上の体表面積と関連して、基体は配置される。専用の電子装置は、検知システムの露出した信号転送ターミナルに取り付けられ、または、それと関連して取り付けられ、認証プロトコルは、ユーザに衣服／検知システムに適合させるために開始される。一つ以上のホストをつとめられたシステム（例えば集中化したデータ処理および分析施設、医療記録施設、暫定的なシステム、臨床医ダッシュボード等）に、認証プロトコルは、ユーザ・データ、プロフィル情報などを任意にロードする。それから、センサ較正はユーザに特有の情報、条件などに基づいて実行されることができ、あるいは、ユーザに特有の監視ルーチン、パラメータなどを適用するシステムによって、閾値、限度または特定範囲、モニタリング・プロトコル、通知、警報などはユーザ、管理人、臨床医により選択されることができる。それから、断続的であるか実質的に連続ユーザ監視は、監視データで開始されることができ、ユーザに提供され、集中化したデータ処理および分析施設、医療記録施設、暫定的なシステム、臨床医ダッシュボードなどに結果としてなる。フィードバック、ユーザ状態の変化などをモニタすることに基づいて、モニタリング・プロトコルの変更および最新版を、実装できる。
【００４８】
典型的な臨床医ダッシュボード、患者オフロードデータのグラフ図および獲得した圧力データの典型的なサンプルとともに、図２２Ａ―２２Ｌは、組み立てられる典型的な装置、較正および入力されるモニタリング基準に関して略図で例示する。組み立てられる実行装置および較正に関し、及び、検知データをモニタして、報告することに関し演算処理システムおよび手段は、検出装置または手段と離れているコンピューティング装置および専用の電子装置にあり、計算環境（例えばクラウド等）のホストコンピューターシステム（医療施設コンピュータシステム）で、コンピュータで実装されるシステムおよび方法を含むことができる。コンピューティング装置で、または、コンピューティング装置と通信することで能力のあるいかなる表示装置（例えばモニタ、多機能電話、コンピュータ、電子健康管理システム等）でも、報告を、表示できる。
【００４９】
図２２Ａは患者情報準備ルーチンを含んでいる典型的な準備および較正プロトコルに関して略図で例示する。デバイス情報がアップ・ルーチン、監視基準準備されたルーチンおよび校正ルーチンを課される。異なる装置構成、センサタイプおよび位置、モニタリング・プロトコル、などに関し、様々な異なるルーチンは、異なる条件を有している患者に関し利用できる。さまざまなルーチンは、プログラムされてもよいかまたは、プログラム可能でもよく、ユーザによって、および／または医療関係者によって、選択可能である。ルーチンは、クラウド・サービス等のＤＥＤ（コンピュータまたは他のブリッジ・デバイス）にあることができる。
【００５０】
図２２Ｂは、患者情報準備の一部をなしている典型的な患者のデータ収集プロトコルに関して略図で例示する。この例では、医師または他の医学専門家は、特定の患者／装置対に結びつくために、データを集めることができ、入力できる。患者識別、重量、高さ、状態、医師、潰瘍位置および状態のような患者に特有の情報、同じく受けられるプロシージャ、病院への入院、ノートなどが、特例に関連した情報を加えるだけでなく、装置較正プロシージャに関しガイダンスとして使われることもありえる。この情報も、全体の患者のデータの凝集ビューの使用に意味があるデータを提供する。
【００５１】
図２２Ｃ―２２Ｆは、センサ起動選択メニューを包含している典型的な装置準備プロトコルに関して略図で例示する。この典型的な装置準備ルーチンにおいて、データタイプ収集とともに、システム・モデル番号および識別は提供される。リアルタイム注意を喚起しているおよび通知特徴を、選択できる。各種センサおよびセンサ位置は選択・起動されることができる。その一方で、図２２  Ｃおよび２２Ｄに示すように、他は不活性にされるままでありえる。靴下タイプ・センサー表面（医師または医療助手が具体例に関し利用可能な５のセットの特定のセンサを作動させることがありえる）に関し、図２２Ｄは、典型的なセンサ起動メニューを例示する。ドレッシング／ラップ・タイプ・センサー表面（どのタイプのセンサ（具体例のＡ、Ｂ、Ｃ）が特定の患者に関し用いられるかについて、医師または医療助手が特定することがありえる）に関し、図２２Ｅは、典型的なセンサ起動メニューを例示する。インソール・タイプ・センサー表面（医師または医療助手が具体例に関し利用可能な５のセットの特定のセンサを作動させることがありえる）に関し、図２２Ｆは、典型的なセンサ起動メニューを例示する。
【００５２】
図２２Ｇは監視基準選択メニューに関して略図で例示する。そして、監視閾値選択メニューおよび通知選択および起動メニューを包含する。図２２Ｈは、より多くの詳細において、モニタ閾値および通知選択および起動メニューに関して略図で例示する。この例では、第一の７２時間のポスト医学技法の前後でモニタするかまたはセンサ起動を掲示するために、医師または医療助手は、異なる閾値を定めることがありえる。典型的なモニタ閾値は、黄色および赤という２レベルの厳しさを定める。一実施形態において、黄色の閾値は、結果のない限られた期間（例えば５分毎時）において、越えれることがありえる：この時系列閾値が越えたあと、システムは通知または警報プロトコルに従って患者または介護者に警告する。それがいつでも凌がれる場合、この実施形態もそれを赤い閾値の使用および選択に与える。そして、システムは直ちに患者または介護者に警告する。閾値はヒステリシス・サイクルにより管理される。そして、圧力レベルが閾値レベル周辺で平均で平均するときに、上がる複数の警報を回避する。閾値レベルは、患者に関し入力されて、履歴データをに基づいてパラメータによって、予め設定されることがありえるか、または定められることがありえて／医師または医療助手により調整されることがありえる。通知は装置、特定アドレスに送られる電子メール、特定の電話番号に送られるテキストメッセージ、オートメーション化したスピーチ・システムからのｒｏｂｏ―呼び出し、等の振動を含むことができる。そして、示すように、通知タイプ、周波数などは監視ルーチンの一部としてユーザまたは医学専門家によって、セットされることができる。いくつかの実施形態では、日々の報告は、かかるセンサシステムを用いて各患者に関し、医師または介護者に送られることが可能である。
【００５３】
パラメータ（例えばフィルタ閾値、信号利得、圧力に対する電圧公式、ユーザに特有の基準に基づいて、など）の中で組み立てられるオートマチックに関し、図２２Ｉは、サンプル較正プロトコルに関して略図で例示する。この較正において、検知システムのさまざまなパラメータが患者に特有の「通常の」パラメータに正規化されることができるかまたはそれに対して標準化するようにさまざまな位置または患者に特有のデータを集めるためにさまざまな動作（例えば、座ること、立つこと、歩行、等）をするユーザがある間、背景データは集められることが可能である。
【００５４】
図２２Ｊは、患者の名、医学的状態、足潰瘍位置および状態（医学手順の歴史、センサ・デバイスおよび位置をモニタすること、相当なリアルタイム・モニター情報およびモニター情報に基づいて患者の地位）によって、糖尿病患者データを表示している典型的な臨床医ダッシュボードを例示する。示される臨床医ダッシュボードにおいて、臨床医が接触することができて、赤い状況に分類される条件を有する患者をチェックすることができ、より深刻な条件を避けることができるように、患者はモニター情報に基づいて赤いか、黄色であるか、緑の状況に分類される。医師または医療助手は、例えばオフロード装置、医学的状態、潰瘍位置のタイプのような異なる「寸法」に関するデータを回転させることがありえる。
【００５５】
医師または医療助手は、権益の特定の領域に関し凝集するデータのビューを抽出するために、同じ寸法に基づいてデータをアクセスの容易さならびに統計目的に関しフィルターに通すこともありえて、ソートすることもありえる。例えば、集計としてこのデータを分析することによって、特定のタイプのオフロード装置（使用する監視装置の特定タイプに連結する）は、中足骨域の潰瘍患者に関し、より良好な結果を示すかもしれない。
図２２Ｋは、明らかにリアルタイム及び歴史的な位置を検出することで動作する過剰な圧力を示していて、提供される通知および警報の歴史を提供しているデータ表示を処分している患者に関して略図で例示する。詳細に、相関および結果を観察して、患者の反応を分析するためにならびにそれらの挙動についての患者との正直な対話およびそれが治癒プロセスに影響を及ぼす方法に関し基礎を提供するために、このデータが、医師または医療助手によって、使われることがありえる。良好な習慣の強調および付着を改良して、治癒プロセスを助けるポジティブな補強については、同一データは、患者に報告を送るために用いることもありえる。
【００５６】
図２２Ｌは、踵骨及び中足骨域に位置決めされるセンサで、本願明細書において、記載される検知システムを用いて集められる検出された力／圧データに関して略図で例示され、ユーザが１０のステップを歩くと共に、データが集まったことを示しているエリアＡおよびＢの信号、ジャンプしているユーザに対応するエリアＣの信号、彼の体重をシフトしているユーザに対応するエリアＤの信号、ユーザが以前のアクティビティの後、付加的なステップを歩くと共に、データが集まったことを示しているエリアＥ―Ｆの信号を備える。多くの他のタイプの入出力が現在の本発明のセンサシステムに関連して提供されることができ、これらの図が有用な入出力の具体例を例示することのために提供され、いかなる形であれ本発明を制限しないことはいうまでもない。
【００５７】
複数のタイプの足関連の問題（例えば偏平足）をもつ患者、末梢性神経障害を患っている戦場または患者に負傷する事故または軍人からの損傷、および、より具体的には、足の部分が圧力に無関心でもよい糖尿病の神経障害足に、センサおよびセンサシステムの具体例が本願明細書において、記載した健康診断および競技のモニタリングは適用できる。潰瘍形成の防止を容易にして、平癒している潰瘍および損傷を促進するために、実質的にリアルタイムのガイダンス（過剰な圧力および／または剪断の領域）を処分することへの患者付着の欠如に対して、ユーザ、管理人および／または臨床医は、警戒できる。
【００５８】
１つのシナリオにおいて、記載されるように、ユーザ／患者または運動選手は可撓性検知システムを組み込んでいる靴下を着用する。それらは、ＤＥＤ上のスイッチを用いたデバイスをオンにして、足を靴に入れる。ＤＥＤは一つ以上の遠隔コンピュータ装置またはサービスとの関係を（例えば、ＵＳＢ／Ｗｉ―Ｆｉ／ブルートゥース／他の媒体を介して）定め、圧力関連のデータは遠隔コンピュータ装置／サービスに転送される。ここで、データ処理および分析は生じる。患者、運動選手および/またはコーチ/介護できるように実質的にリアルタイムで患者、運動選手および/またはコーチ/介護者に伝達して表示できるもの／ならば、を分析患者アドヒアランス、パフォーマンスと目標の成果、傷害予防策に関連するランクの勧告、五感圧力に応じて、患者やアスリートの行動や活動に変更を加え、その結果を返す。
【００５９】
他の一実施形態において、ＤＥＤおよび信号領収書ターミナルを組み込んでいるシステムは、他のタイプの中間の専用の電子装置（例えば防護装置（例えば、むこうずねプロテクタ）に取り付けられることができておよび／またはそれにおいて、または、それに関連した組み込まれることができる。この実施形態の一つのバージョンは、図２３に図示される。本実施形態において、靴下の形の基板材料は、一つ以上のセンサＳ１．．Ｓｎを備えていることができて、リードして、一組のターミナルＣＴ１乃至ＣＴｎに信号および／またはデータを提供するＴ１．．Ｔｎを追跡する。ターミナルは、スナップまたはコネクタ（靴下（雄又は雌の部分）上に、そして、防護装置、例えばむこうずねプロテクタ装置、雌または雄の相対物上の嵌合位置上に載置する）から成ることができる。むこうずねプロテクタが通常靴下の上に横たわる領域に、靴下上のコネクタは位置決めされることができる。そうすると、むこうずねプロテクタ上の相対物コネクタは容易に一緒にパチンといって、ターミナルだけでなく、靴下もおよびむこうずねプロテクタを接続する。すねガードが手動靴下、着用者の脛の間に配置することができ、内蔵靴下の適切なファブリックソケットに挿入される。本実施形態において、むこうずねプロテクタは、内側でより硬い外ケーシング材料および緩衝装置材料で全般的に製作される。先に記載されるように、むこうずねプロテクタ（適切に過剰な衝撃から保護されている）の範囲内で、専用の電子装置（ＤＥＤ）の電子構成要素は中心的な領域または凹部において、提供されることができる。以前に記載されるように、ＤＥＤはその入力／出力と嵌合ターミナルＣＴ１．．ＣＴｎの間に直結によって、各センサからデータを集めて、外部のコンピューティングおよび／またはブリッジ・デバイスに信号および／またはデータを通信する。
【００６０】
脚および／または足保護（例えばサッカー、ホッケー、フットボールなど）を必要とする様々なスポーツにおいて、この種の構成が、用いられることが可能である。（モニタされることが望ましいスポーツおよびアクティビティのタイプに依存している）靴下上の指定位置または衣類の他のアイテムに、センサは置かれることができる。１つのシナリオにおいて、リアルタイムに、または、事実の後処理されることがありえる圧力データを集めて、個人およびチームに関し有用な統計的データを得るために、サッカー・チームは、センサを装備した（取り付けられる）靴下および埋め込みＤＥＤを有するむこうずねプロテクタを着用できる。例えば、靴下（足）の両側に、特定のセンサを配置することによって、DEDからデータを受信するソフトウェアシステムは、内部センサーからの圧力信号スパイクは、走っているか、歩いているか、パスか、シュートに関連があるかどうか決定することが可能であってもよい。システムは、データ分析および合成によって、統計的データ（例えばパスの数）、シュート数、ボール支配率などを提供できる。
【００６１】
靴業界全体でのフィッティングシューズ、さらに重要な、複数の国際的なサイジングシステムや、靴のサイジングにおける標準化の欠如がある。現在の本発明のセンサおよび検知システムは、適合しているはきものにおいて、支援するために用いることもできる。消費者が店で、またはオンラインで購入または注文履物とき、それは特に利用可能な大規模な選択を与えられ、それらの具体的な日常のシナリオで靴を試着することができずに、適切なフィット性を評価することは困難である。消費者が店舗で買い物や上の履物をしようとする能力を持っている場合であっても、場所と限られた時間と経験が不十分なフィッティング靴を識別できない場合がある。これは、オンライン購入を行うことから消費者を落胆させ、大幅なオンライン商人の販売コストを上昇させ、販売機会を失い高い返品率となる。それが適切に適合するという確信を有しているはきものを購入して、注文することが可能であることは、相当な利点を提供する。2010年には、3.5億靴がオンラインで販売され、１／３が返品された。電子商取引は、近年驚異的な成長を見ているが、オンライン靴販売は（コンピュータ用50％、書籍の60％と比較して）総履物市場のわずか12％を占めるに過ぎない。理由は、それらが購買の前にはきものをつけてみることができないので、靴をオンラインで買って、消費者がより快適でないということである。
【００６２】
圧力センサー（単数または複数）は靴下のフォームファクタに組み込まれ、または独立して位置決め可能なセンサを位置付け、異なる点と、足の区域の圧力を検出し、不快感の領域を識別するために使用され得る。データベースと使用者の足に位置して圧力センサのデータ解析を使用して、分析の検索と特定の個人のための靴、インソールおよび/または装具のための推奨近似オプションを表示し、個人は、推奨近似オプションに関してリアルタイムで警告されてもよい。デバイス収集したセンサデータは、要求された靴のタイプ、モデル、または他の検索基準としてユーザによって、直接提供される個人化情報で増補できる。
【００６３】
他の一実施形態において、靴下フォームファクタにおいて、または、それぞれに位置決め可能な検知システムにおいて、取り入れられる圧力センサーは、個人の足上の一つ以上の位置で、湿度、温度および他のパラメータに関する快適さおよび解剖的なデータならびにデータを集めることができる。収集されたデータは、個人に固有の勧告や警告などの出力を提供するように処理できる要求された靴のタイプ、モデル、およびその他の検索条件として、ユーザが提供した情報で増補されてもよい。
【００６４】
他の一実施形態において、ユーザは、靴の画像をとることができて、コンピュータまたはサービス（例えば電子メールを経た）に画像を送ることができる。可能性に適合させているはきものを確認するために一つ以上のデータベースにおいて、維持されるはきものメタデータに、はきもの画像は、処理されることができて、適合できる。関連した靴の選択は、マッチしているものを包含して、ユーザに表されることができる。選択は、アカウントの快適ゾーンと共通の特徴やニーズを共有し、現在のユーザーの足の解剖学にかかることがあり、各種パラメータやユーザの好みに応じて返された選択をランク付けすることがある。一実施形態では、DED制御ソフトウェアは、足の解剖学的構造を決定するためのセンサシステムからデータを収集する。一旦着用者の解剖学的足データが処理されて、一つ以上のデータベースにおいて、維持されるはきものデータと比較されると、着用者（投影適合または他のユーザ選択の順に並べられる）に、はきもの勧告を、表示できる。はきもの、インソールおよび／または矯正器具に関しランクを付けられた推奨された適当なオプションを見つけて、表示するために、これらのシステムまたは類似なシステムを用いることができる。
【００６５】
現在の本発明が具体例が示されて、説明される添付の図面に関して上で記載されると共に、当業者が本発明の精神および幅広い範囲を逸脱しない範囲で本願明細書において、記載される実施形態を修正できることを理解すべきである。したがって、上で提供される説明は、現在の本発明の幅広い範囲の中で、および、本発明の範囲を制限することではなく特定の構造、態様および特徴で図示および典型例であるとみなされる。
【図１】
0006272238.tif 000002
【図２】
0006272238.tif 000003
【図３】
0006272238.tif 000004
【図４】
0006272238.tif 000005
【図５】
0006272238.tif 000006
【図６Ａ】
0006272238.tif 000007
【図６Ｂ】
0006272238.tif 000008
【図７】
0006272238.tif 000009
【図８】
0006272238.tif 000010
【図９】
0006272238.tif 000011
【図１０】
0006272238.tif 000012
【図１１Ａ】
0006272238.tif 000013
【図１１Ｂ】
0006272238.tif 000014
【図１２Ａ】
0006272238.tif 000015
【図１２Ｂ】
0006272238.tif 000016
【図１３】
0006272238.tif 000017
【図１４】
0006272238.tif 000018
【図１５】
0006272238.tif 000019
【図１６Ａ】
0006272238.tif 000020
【図１６Ｂ】
0006272238.tif 000021
【図１７】
0006272238.tif 000022
【図１８Ａ】
0006272238.tif 000023
【図１８Ｂ】
0006272238.tif 000024
【図１９】
0006272238.tif 000025
【図２０】
0006272238.tif 000026
【図２１】
0006272238.tif 000027
【図２２Ａ】
0006272238.tif 000028
【図２２Ｂ】
0006272238.tif 000029
【図２２Ｃ】
0006272238.tif 000030
【図２２Ｄ】
0006272238.tif 000031
【図２２Ｅ】
0006272238.tif 000032
【図２２Ｆ】
0006272238.tif 000033
【図２２Ｇ】
0006272238.tif 000034
【図２２Ｈ】
0006272238.tif 000035
【図２２Ｉ】
0006272238.tif 000036
【図２２Ｊ】
0006272238.tif 000037
【図２２Ｋ】
0006272238.tif 000038
【図２２Ｌ】
0006272238.tif 000039
【図２３】
0006272238.tif 000040